(57)【要約】【課題】この発明は、映像再生装置において、多種多様な映像機器が接続されていても、ユーザが簡単かつ適切に目的に応じた機能を選択可能とする。【解決手段】  トップメニュー指示に応じて、利用可能な機能のメニュー項目を画面に表示する（Ｓ４ａ）。機能選択時には（Ｓ４ｂ）、その機能を実現する機器の接続状態を判断し（Ｓ４ｃ）、接続なしの場合にはワーニング表示（Ｓ４ｄ）、接続ありの場合には次頁のメニュー項目を表示する（Ｓ４ｅ）。頁操作検出時に（Ｓ４ｆ）、その頁操作が次頁指定の場合には次頁の有無を判断し（Ｓ４ｇ）、次頁がある場合には次頁のメニュー項目を表示し（Ｓ４ｈ）、Ｓ４ｆの処理に戻る。頁操作が前頁指定の場合には、前頁の有無を判断し（Ｓ４ｉ）、前頁がある場合には前頁のメニュー項目を表示し（Ｓ４ｊ）、Ｓ４ｆの処理に戻る。また、前頁がない場合にはＳ４ｂに戻ってユーザの機能選択を待機する。【選択図】    図４
2006094406.tif 000002
【特許請求の範囲】
【請求項１】
複数の映像機器の中から表示コンテンツを選択的に指定するためのメニュー画面を表示する映像再生装置において、
前記複数の映像機器の映像処理機能を分類し、機能別にアイコン化して、トップメニューとして画面上に一覧表示するトップメニュー表示手段と、
前記アイコン化された機能それぞれの詳細項目を情報収集し、目的別にアイコン化して項目メニューとして画面上に一覧表示する１または複数の項目メニュー表示手段と、
前記トップメニューの機能別アイコン、前記項目メニューの目的別アイコンそれぞれについて、いずれかの機能、項目を選択決定する第１の操作手段と、
前記選択決定された機能別アイコンが意味する機能の詳細項目を決定するための複数の項目メニューを順に切り替える第２の操作手段とを具備することを特徴とする映像再生装置。
【請求項２】
前記トップメニュー表示手段は、テレビ、録画番組、写真、インターネット、電子メールの少なくともいずれかを機能として大別し、それぞれアイコン化して表示することを特徴とする請求項１記載の映像再生装置。
【請求項３】
前記トップメニュー表示手段、前記項目メニュー表示手段は、それぞれ次メニューへの切り替え指示の際に、選択先機能または項目が利用可能か否かを判断し、利用不可の場合には、その機能または項目を利用するために必要な処置を説明する情報をヘルプ表示することを特徴とする請求項１記載の映像再生装置。
【請求項４】
前記トップメニュー表示手段、前記項目メニュー表示手段は、それぞれ次メニューへの切り替え指示の際に、選択先機能または項目が利用可能か否かを判断し、利用可能なアイコンと利用不可のアイコンを識別表示することを特徴とする請求項１記載の映像再生装置。
【請求項５】
複数の映像機器の中から表示コンテンツを選択的に指定するためのメニュー画面を表示する映像再生装置のメニュー表示方法において、
前記複数の映像機器の映像処理機能を分類し、機能別にアイコン化して、トップメニューとして画面上に一覧表示するトップメニュー表示過程と、
前記アイコン化された機能それぞれの詳細項目を情報収集し、目的別にアイコン化して項目メニューとして画面上に一覧表示する１または複数の項目メニュー表示過程と、
前記トップメニューの機能別アイコン、前記項目メニューの目的別アイコンそれぞれについて、いずれかの機能、項目を選択決定する第１の操作過程と、
前記選択決定された機能別アイコンが意味する機能の詳細項目を決定するための複数の項目メニューを順に切り替える第２の操作過程とを具備することを特徴とする映像再生装置のメニュー表示方法。
【請求項６】
前記トップメニュー表示過程は、テレビ、録画番組、写真、インターネット、電子メールの少なくともいずれかを機能として大別し、それぞれアイコン化して表示することを特徴とする請求項５記載の映像再生装置のメニュー表示方法。
【請求項７】
前記トップメニュー表示過程、前記項目メニュー表示過程は、それぞれ次メニューへの切り替え指示の際に、選択先機能または項目が利用可能か否かを判断し、利用不可の場合には、その機能または項目を利用するために必要な処置を説明する情報をヘルプ表示することを特徴とする請求項５記載の映像再生装置のメニュー表示方法。
【請求項８】
前記トップメニュー表示過程、前記項目メニュー表示過程は、それぞれ次メニューへの切り替え指示の際に、選択先機能または項目が利用可能か否かを判断し、利用可能なアイコンと利用不可のアイコンを識別表示することを特徴とする請求項５記載の映像再生装置のメニュー表示方法。
【発明の詳細な説明】
【技術分野】
【０００１】
この発明は、デジタルテレビ受信機で受信処理した映像を表示するための映像再生装置に関し、特に当該映像再生装置で利用可能な機能や情報をメニュー形式で表示するメニュー表示方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、映像再生装置に対し、例えばＨＤＤ（Hard Disk Drive）のような大容量のデジタル記録機器を接続することにより、受信した番組をデジタル記録したり、記録した番組を再生したりすることが可能となっている。また、単にＨＤＤの番組記録再生のみならず、デジタルカメラやその記録媒体を接続可能として撮影画像を表示する機能、外付けタイプのＨＤＤ映像記録再生装置を利用可能とする機能、ネットワークを通じて映像機器をアクセスし利用する機能を備えて付加価値を高めた装置も提供されつつある。
【０００４】
このように、デジタル放送受信装置では、映像再生装置を中心に、多種多様な映像機器が種々のインターフェースを通じて接続可能となっており、様々な視聴形態が利用可能である。このため、ユーザが使用する機能を効率よく、適切に選択可能とすることが望まれる。この際、どの映像機器がどのように使用可能であるかを画面上で確認しながら操作できるようにする機能も要望される。
【０００５】
尚、ＬＡＮ端子を装備したデジタルテレビジョン放送受信装置については、特許文献１に記載されている。しかしながら、ＬＡＮ端子以外のインターフェースに関する構成はなく、多種多様な映像機器を取り扱う構成に関する記載はない。
【特許文献１】特開２００２−３００４８２号公報
【発明の開示】
【発明が解決しようとする課題】
【０００６】
以上述べたように、デジタル放送受信装置のような映像再生装置では、多種多様な映像機器が種々のインターフェースを通じて接続可能となっているため、ユーザがどの映像機器がどのように使用可能であるかを画面上で確認しながら操作できるようにし、簡単かつ適切に選択可能とすることが要望される。
【０００７】
そこで、この発明は上記事情を考慮してなされたもので、ユーザがどの映像機器がどのように使用可能であるかを画面上で確認しながら操作することができ、簡単かつ適切に機能を選択することが可能な映像再生装置及びメニュー表示方法を提供することを目的とする。
【課題を解決するための手段】
【０００８】
この発明は、複数の映像機器の中から表示コンテンツを選択的に指定するためのメニュー画面を表示する映像再生装置において、前記複数の映像機器の映像処理機能を分類し、機能別にアイコン化して、トップメニューとして画面上に一覧表示するトップメニュー表示手段と、前記アイコン化された機能それぞれの詳細項目を情報収集し、目的別にアイコン化して項目メニューとして画面上に一覧表示する１または複数の項目メニュー表示手段と、前記トップメニューの機能別アイコン、前記項目メニューの目的別アイコンそれぞれについて、いずれかの機能、項目を選択決定する第１の操作手段と、前記選択決定された機能別アイコンが意味する機能の詳細項目を決定するための複数の項目メニューを順に切り替える第２の操作手段とを具備することを特徴とするものである。
【０００９】
また、この発明は、複数の映像機器の中から表示コンテンツを選択的に指定するためのメニュー画面を表示する映像再生装置のメニュー表示方法において、前記複数の映像機器の映像処理機能を分類し、機能別にアイコン化して、トップメニューとして画面上に一覧表示するトップメニュー表示過程と、前記アイコン化された機能それぞれの詳細項目を情報収集し、目的別にアイコン化して項目メニューとして画面上に一覧表示する１または複数の項目メニュー表示過程と、前記トップメニューの機能別アイコン、前記項目メニューの目的別アイコンそれぞれについて、いずれかの機能、項目を選択決定する第１の操作過程と、前記選択決定された機能別アイコンが意味する機能の詳細項目を決定するための複数の項目メニューを順に切り替える第２の操作過程とを具備することを特徴とするものである。
【発明の効果】
【００１０】
上記した発明によれば、多種多様な映像機器が種々のインターフェースを通じて接続されていても、ユーザがどの映像機器がどのように使用可能であるかを画面上で確認しながら操作することができ、簡単かつ適切に機能を選択することが可能な映像再生装置及びメニュー表示方法を提供することができる。
【発明を実施するための最良の形態】
【００１１】
以下、この発明の実施の形態について図面を参照して詳細に説明する。
【００１２】
図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換したり、表示色を任意に調整したりして、映像表示器１４に出力して映像表示させるとともに、出力端子５９を介して外部に導出させる。この映像処理部５８はリモコン１７からの指示に応答して、制御部６１の制御の基に色調整が可能で、自動色調整モードとユーザが好みによって調整する手動調整モードで動さ可能である。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
以上のように、上記受信装置１１には、第１及び第２のメモリカード１９，２０を装着するためのカードホルダ６６、６８、ＮＡＳ接続専用の第１のＬＡＮ端子２１、一般のネットワーク対応映像機器と接続するための第２のＬＡＮ端子２２の他、各種映像機器を接続するためのＵＳＢ（Universal Serial Bus）端子２３及びｉ．Link端子２４を備え、いずれも制御部６１によって接続状態が管理されている。これらのホルダまたは端子に映像機器を接続する場合には、手動または自動によって「どこ」に「何」が「いつ」接続されているかを示す接続情報が制御部６１の不揮発性メモリ６４に設定登録される。
【００４５】
上記構成において、本発明は、ユーザが使用目的に応じて機器及び機能の選択を行うためのメニュー項目を図４のフローチャートに示す方法によって表示し、選択操作可能とすることを特徴とする。
【００４６】
図４において、まず、電源投入時、あるいはトップメニュー指示入力があった場合、上記構成による受信装置で利用可能な複数の機能それぞれのメニュー項目をアイコン化し、画面に上下方向に並べて、トップメニューとして表示する（ステップＳ４ａ）。これらの項目は、初期設定登録において自動登録されるものであるが、ユーザの希望に合わせて任意に取捨選択可能とする。項目選択決定は、リモートコントローラ１７のカーソルキー１７ｆの上下方向操作によっていずれかの項目アイコンを選択し、決定キー１７ｇをオン操作することで選択項目を決定しその処理に移行させることができる。
【００４７】
上記選択項目のアイコン中からいずれかが選択された場合には（ステップＳ４ｂ）、その選択項目の機能を実現する機器が接続されているか否かを判断し（ステップＳ４ｃ）、接続されていない場合には、一定時間ワーニング表示した後にトップメニューを表示し（ステップＳ４ｄ）、ステップＳ４ｂの処理に戻る。
【００４８】
ステップＳ４ｃで機器接続が確認された場合には、選択項目に続く次頁のメニュー項目をアイコン化して表示する（ステップＳ４ｅ）。このとき、次頁がある場合には画面上に次頁、前頁への操作案内を表示しておく。
【００４９】
ここで、上記の頁操作が実行されたことを検出すると（ステップＳ４ｆ）、その頁操作が次頁指定の場合には、次頁の有無を判断し（ステップＳ４ｇ）、次頁がある場合には次頁のメニュー項目をアイコン化して表示し（ステップＳ４ｈ）、ステップＳ４ｆの処理に戻る。また、上記頁操作が前頁指定の場合には、前頁の有無を判断し（ステップＳ４ｉ）、前頁がある場合には前頁のメニュー項目をアイコン化して表示し（ステップＳ４ｊ）、ステップＳ４ｆの処理に戻る。また、前頁がない場合には、既にトップメニューが表示された状態となっているため、ステップＳ４ｂに戻ってユーザの機能選択を待機する状態とする。
【００５０】
尚、上記の処理手順では、トップメニューに表示される機能を選択してから次頁のメニュー項目を表示するものとしたが、前回選択した機能は次回も選択されるケースが多いので、前回選択した機能を記憶しておき、トップメニュー表示時に前回選択された機能の表示と次頁のメニュー項目を合わせて表示させておくとよい。
【００５１】
以下、図５に示すメニュー構成と、図６Ａ〜図６Ｆに示す表示画面を例にとって、本発明に係るメニュー表示方法を具体的に説明する。
【００５２】
図５に示す例では、機能項目としてテレビＡ１１、録画番組Ａ２１、写真Ａ３１、インターネットＡ４１、ＥメールＡ５１を備えている。
【００５３】
テレビＡ１１の機能選択時には、カーソルの次頁操作によって、お好み番組Ａ１２、チャンネル一覧Ａ１３のメニュー表示画面に順次切り替えられる。逆に、カーソルの前頁操作によって、前頁のメニュー表示画面に切り替えられる。
【００５４】
録画番組Ａ２１の機能選択時には、カーソルの次頁操作によって、最近録画した番組Ａ２２、機器一覧Ａ２３のメニュー表示画面に順次切り替えられる。逆に、カーソルの前頁操作によって、前頁のメニュー表示画面に切り替えられる。
【００５５】
写真Ａ３１の機能選択時には、カーソルの次頁操作によって、機器一覧Ａ３２のメニュー表示画面に切り替えられる。逆に、カーソルの前頁操作によって、前頁のメニュー表示画面に切り替えられる。
【００５６】
インターネットＡ４１の機能選択時には、カーソルの次頁操作によって、ブックマークＡ４２、履歴Ａ４３のメニュー表示画面に順次切り替えられる。逆に、カーソルの前頁操作によって、前頁のメニュー表示画面に切り替えられる。
【００５７】
ＥメールＡ５１の機能選択時には、カーソルの次頁操作によって、送信・受信メール一覧Ａ５２のメニュー表示画面に切り替えられる。逆に、カーソルの前頁操作によって、前頁のメニュー表示画面に切り替えられる。
【００５８】
図６Ａは、上記トップメニューの表示例を示すもので、画面左側に機能選択項目として、図５に示すテレビＡ１１、録画番組Ａ２１、写真Ａ３１、インターネットＡ４１、ＥメールＡ５１が表示されている。画面右側には、前回選択された機能に対応する次頁のメニュー項目が一部表示されている。
【００５９】
図６Ｂは、選択項目としてテレビＡ１１が選択され、次頁のお好み番組Ａ１２がアイコン表示された様子を示している。お好み番組Ａ１２は、事前にユーザが電子番組表から指定したキーワードや選択ジャンル等に基づいて自動的に抽出した番組をメニュー項目として表示するもので、上下方向のカーソル操作によって領域外の項目（番組）を表示させることができ、決定キーオン操作によって選択項目を決定することができる。この画面において、左右方向のカーソルボタンを表示して、これらのボタンが示す方向にカーソル操作することで、次頁メニュー項目表示、前頁メニュー項目表示にそれぞれ切り替えられることを理解させる。
【００６０】
図６Ｃは、図６Ｂの表示画面で次頁が指定された場合に、チャンネル一覧Ａ１３のメニュー項目がアイコン化されて表示された様子を示している。このチャンネル一覧Ａ１３の各項目は、外部接続機器を含む全ての受信可能なチャンネル情報を各機器から収集して表示される。
【００６１】
図６Ｄは選択項目として録画番組Ａ２１が選択された様子を示し、図６Ｅは次頁が指定されて最近録画した番組Ａ２２がアイコン表示された様子を示している。最近録画した番組Ａ２２は、外部接続を含む全ての記録再生装置それぞれから規定個数の最新録画番組を収集し、メニュー項目として表示するもので、上下方向のカーソル操作によって領域外の項目（番組）を表示させることができ、決定キーオン操作によって選択項目を決定することができる。この画面において、左右方向のカーソルボタンを表示して、これらのボタンが示す方向にカーソル操作することで、次頁メニュー項目表示、前頁メニュー項目表示にそれぞれ切り替えられることを理解させる。
【００６２】
図６Ｆは、図６Ｅの表示画面で次頁が指定された場合に、機器一覧Ａ２３のメニュー項目がアイコン化されて表示された様子を示している。この機器一覧Ａ２３の各項目は、外部接続機器を含む全ての記録再生装置の中から使用可能な状態にあるものを識別して表示される。
【００６３】
尚、図６Ａ〜図６Ｆにおいて、それぞれ目的とするメニュー表示に対し、隣接メニューの端部が見えるようにしている。これは、その方向にメニューが存在することを視覚的にユーザに理解させるためである。これにより、ユーザは画面をシフトする間隔で階層構造を辿ることができ、感覚的にわかりやすい操作でメニューを切り替えることができる。
【００６４】
以下、写真Ａ３１、インターネットＡ４１、ＥメールＡ５１の機能が選択された場合も同様なメニュー表示がなされる。但し、これらの項目の処理を実行するために必要な機器が接続されていない、例えばデジタルカメラが接続されていない、インターネットの通信回線に接続されていないような場合には、機能選択時のメニュー項目が得られないため、表示不能となる。そこで、接続されていない状況を把握した場合にはワーニング表示する。
【００６５】
図６Ｇは、インターネットが使用できない状態にある時のワーニング表示例を示している。この例では、単に利用できない旨を表示するのではなく、その機能を利用するために必要な設定を説明するヘルプ表示となっている。これにより、ユーザに状況を理解させると共に、必要に応じて機能を利用するための手助けをすることができる。
【００６６】
したがって、上記構成によるデジタルテレビジョン放送受信装置では、多種多様な映像機器が種々のインターフェースを通じて接続されていても、ユーザがどの映像機器がどのように使用可能であるかを画面上で確認しながら操作することができ、簡単かつ適切に機能を選択することが可能となり、より使い勝手の優れた装置となる。
【００６７】
尚、上記実施形態では、利用できない機能については、その選択時にワーニング表示するものとしたが、この発明はこれに限定されるものではなく、例えば利用できない機能についてはその表示をトーンダウンさせて視聴者に利用できないことを知らせるようにしてもよい。
【００６８】
以上、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６９】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で、ユーザが使用目的に応じて機器及び機能の選択を行うためのメニュー項目を表示する方法を示すフローチャート。
【図５】図４で説明した使用目的に応じて機器及び機能の選択を行うためのメニュー項目の具体例を示す図。
【図６Ａ】図５の具体例におけるトップメニューの表示例を示す図。
【図６Ｂ】図５の具体例において、選択項目としてテレビが選択され、次頁のお好み番組がアイコン表示された様子を示す図。
【図６Ｃ】図５の具体例において、図６Ｂの表示画面で次頁が指定された場合に、チャンネル一覧のメニュー項目がアイコン化されて表示された様子を示す図。
【図６Ｄ】図５の具体例において、選択項目として録画番組が選択された様子を示す図。
【図６Ｅ】図５の具体例において、選択項目として録画番組が選択され、次頁の最近録画した番組がアイコン表示された様子を示す図。
【図６Ｆ】図５の具体例において、図６Ｄの表示画面で次頁が指定された場合に、機器一覧のメニュー項目がアイコン化されて表示された様子を示す図。
【図６Ｇ】図５の具体例において、インターネットが使用できない状態にある時のワーニング表示例を示す図。
【符号の説明】
【００７０】
１１…デジタルテレビジョン放送受信装置、１２…キャビネット、１３…支持台、１４…映像表示器、１５…スピーカ、１６…操作部、１７…リモートコントローラ、１８…受光部、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ（Interface）、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、Ａ１１…テレビ機能、Ａ１２…お好み番組一覧、Ａ１３…チャンネル一覧、Ａ２１…録画番組機能、Ａ２２…最近録画した番組一覧、Ａ２３…機器一覧、Ａ３１…写真機能、Ａ３２…機器一覧、Ａ４１…インターネット機能、Ａ４２…ブックマーク一覧、Ａ４３…履歴一覧、Ａ５１…Ｅメール機能、Ａ５２…送信・受信メール一覧。
【図１】
2006094406.tif 000003
【図２】
2006094406.tif 000004
【図３】
2006094406.tif 000005
【図４】
2006094406.tif 000006
【図５】
2006094406.tif 000007
【図６Ａ】
2006094406.tif 000008
【図６Ｂ】
2006094406.tif 000009
【図６Ｃ】
2006094406.tif 000010
【図６Ｄ】
2006094406.tif 000011
【図６Ｅ】
2006094406.tif 000012
【図６Ｆ】
2006094406.tif 000013
【図６Ｇ】
2006094406.tif 000014